(57)【要約】【課題】誤りの分布パターンを自由かつ高精度に実現でき、誤り量を高精度に実現でき、読取装置による影響を受けず極めて安定性の高い誤りを実現する。【解決手段】誤り訂正符号語が記録された記録媒体の読取装置を試験するための誤り訂正能力試験用記録媒体であって、規格に基づいて元データが誤り訂正符号化されて誤り訂正符号化データが生成された後に、該誤り訂正符号化データに誤りが加えられた状態で記録された、ことを特徴とする誤り訂正能力試験用記録媒体である。【選択図】　　　図１
2004079135.tif 000002
【特許請求の範囲】
【請求項１】
誤り訂正符号語が記録された記録媒体の読取装置を試験するための誤り訂正能力試験用記録媒体であって、
規格に基づいて元データが誤り訂正符号化されて誤り訂正符号化データが生成された後に、該誤り訂正符号化データに誤りが加えられた状態で記録された、
ことを特徴とする誤り訂正能力試験用記録媒体。
【請求項２】
前記誤り訂正符号化データに加えられる誤りは、記録媒体上に特定の形状の誤りを分布形成させるものである、
ことを特徴とする請求項１記載の誤り訂正能力試験用記録媒体。
【請求項３】
前記誤り訂正符号化データに加えられる誤りは、記録媒体の傷や汚れによる実際の誤り分布パターンをシミュレートするように、定められた位置の誤りである、
ことを特徴とする請求項１記載の誤り訂正能力試験用記録媒体。
【請求項４】
前記誤り訂正符号化データに加えられる誤りは、記録媒体の規格の記録フォーマットにより定められた部分を特定した位置の誤りである、
ことを特徴とする請求項１記載の誤り訂正能力試験用記録媒体。
【請求項５】
記録媒体の読取装置の誤り訂正能力の測定のため、最大バーストエラー、繰り返し訂正過程の途中で訂正誤りを生ずる誤り、４回以上の繰り返し訂正によって訂正完了となる誤り、３回以上の繰り返し訂正試行を要し、最終的に訂正不能となる誤り、を形成するように、その位置や誤った結果のデータ値を予め演算により求めた誤りが加えられる、
ことを特徴とする請求項４記載の誤り訂正能力試験用記録媒体。
【請求項６】
誤り訂正符号語が記録された記録媒体の読取装置を試験するための誤り訂正能力試験用記録媒体であって、
規格に基づいて元データが誤り訂正符号化されて誤り訂正符号化データが生成された後に、該誤り訂正符号化データの変調コードに誤りが加えられた状態で記録された、
ことを特徴とする誤り訂正能力試験用記録媒体。
【請求項７】
前記変調コードに誤りを加える場合において、一定間隔での挿入が記録フォーマットで定められているシンクコードに誤りを加えることを含む、
ことを特徴とする請求項６記載の誤り訂正能力試験用記録媒体。
【請求項８】
該誤り訂正能力試験用記録媒体を読取装置で読み取った際に、記録時に付加した誤り以外の各種の誤りも含めて全ての誤りがいずれも記録媒体の規格を満足するように、記録時に付加する誤りの数もしくは分布を制限する、
ことを特徴とする請求項１乃至請求項７のいずれかに記載の誤り訂正能力試験用記録媒体。
【発明の詳細な説明】
【０００１】
【発明の属する技術分野】
本発明は誤り訂正符号語が記録されたＣＤやＤＶＤなどの記録媒体の読取装置を試験するための誤り訂正能力試験用記録媒体に関する。
【０００２】
【従来の技術】
ＣＤやＤＶＤなどの記録媒体の読取装置を試験するための誤り訂正能力試験用記録媒体（テストディスク）として、ディスクの読み取り面の表面に傷をつけて傷の線幅をエリア毎に序々に増加させたものや、読み取り面の表面に複数の微小黒色ドットを印刷したものなどがある。
【０００３】
【発明が解決しようとする課題】
しかし、以上の誤り訂正能力試験用記録媒体には以下のような問題点がある。
▲１▼物理的な加工であるため、誤り量が安定に発生せず、誤り訂正能力試験用記録媒体としての安定性に欠ける。
【０００４】
▲２▼誤り率が３％になる誤り量を加えるといった例のような、正確なある一定量の誤り量を加えることができない。
▲３▼誤りの分布を、ディスク面上に均一に分布させたり、同心上に分布させたり、などの例のように、誤りの分布パターンに自由度が少なく、その制御ができない。
【０００５】
▲４▼傷や黒点の部分はトラック情報（ピット）が完全に欠落するため、トラキングやフォーカシング情報が失われ、サーボ動作が不安定になる。このため誤り訂正能力のテストをしているのか、トラッキング能力をテストしているのか解らなくなる。
【０００６】
▲５▼トラック情報の欠落がなくても、ディスクから読み取った変調信号（ピット）の誤りは、読み取り装置による復調性能の差により異なった復調データ誤りとなる。
【０００７】
▲６▼上記▲１▼の安定性を高めるには特殊な加工機による高い加工精度が必要であり、高コストとなる。
本発明は、誤りの分布パターンを自由かつ高精度に実現でき、誤り量を高精度に実現でき、読取装置による影響を受けず極めて安定性の高い誤りを実現できる、誤り訂正能力試験用記録媒体を実現することを目的とする。
【０００８】
【課題を解決するための手段】
上述した不具合を解決する手段としての本発明は以下に述べるようなものである。
【０００９】
（１）請求項１記載の発明は、誤り訂正符号語が記録された記録媒体の読取装置を試験するための誤り訂正能力試験用記録媒体であって、規格に基づいて元データが誤り訂正符号化されて誤り訂正符号化データが生成された後に、該誤り訂正符号化データに誤りが加えられた状態で記録された、ことを特徴とする誤り訂正能力試験用記録媒体である。
【００１０】
この発明では、規格に基づいて元データが誤り訂正符号化されて誤り訂正符号化データが生成された後に、該誤り訂正符号化データに誤りが加えられた状態で記録されている。すなわち、目的とする誤りの分布パターンになるように、フォーマッタから変調直前の誤り訂正符号化データを取り出し、誤り訂正符号化データの中のデータの位置と数を決めて、書き換えることにより誤りを加えている。
【００１１】
これにより、誤りの分布パターンを自由かつ高精度に実現でき、誤り量を高精度に実現でき、読取装置による影響を受けず極めて安定性の高い誤りを実現できる、誤り訂正能力試験用記録媒体を実現できる。
【００１２】
（２）請求項２記載の発明は、請求項１において、前記誤り訂正符号化データに加えられる誤りは、記録媒体上に特定の形状の誤りを分布形成させるものである、ことを特徴とする。
【００１３】
これにより、任意の誤りの分布パターンを自由かつ高精度に実現できるようになる。
（３）請求項３記載の発明は、請求項１において、前記誤り訂正符号化データに加えられる誤りは、記録媒体の傷や汚れによる実際の誤り分布パターンをシミュレートするように、定められた位置の誤りである、ことを特徴とする。
【００１４】
これにより、記録媒体の傷や汚れによる実際の誤り分布パターンに応じて、誤り量を高精度に実現でき、読取装置による影響を受けず極めて安定性の高い誤りを実現できる、誤り訂正能力試験用記録媒体を実現できる。
【００１５】
（４）請求項４記載の発明は、請求項１において、前記誤り訂正符号化データに加えられる誤りは、記録媒体の規格の記録フォーマットにより定められた部分を特定した位置の誤りである、ことを特徴とする。
【００１６】
ここで、「記録フォーマットにより定められた部分を特定した位置の誤り」とは、セクタＩＤ部分や通常のデータ部分などの、記録フォーマットで定める部分を特定した誤りを意味している。
【００１７】
このよう特定した位置の誤りにすることで、記録媒体の規格の記録フォーマットにより定められた部分を特定した位置の誤りに応じた読取装置の誤り訂正能力の試験が可能になる。
【００１８】
（５）請求項５記載の発明は、請求項４において、記録媒体の読取装置の誤り訂正能力の測定のため、最大バーストエラー、繰り返し訂正過程の途中で訂正誤りを生ずる誤り、４回以上の繰り返し訂正によって訂正完了となる誤り、３回以上の繰り返し訂正試行を要し、最終的に訂正不能となる誤り、を形成するように、その位置や誤った結果のデータ値を予め演算により求めた誤りが加えられる、ことを特徴とする。
【００１９】
このようにすることで、最大バーストエラー、繰り返し訂正過程の途中で訂正誤りを生ずる誤り、４回以上の繰り返し訂正によって訂正完了となる誤り、３回以上の繰り返し訂正試行を要し、最終的に訂正不能となる誤り、といった詳細な誤り訂正能力の測定が可能になる。
【００２０】
（６）請求項６記載の発明は、誤り訂正符号語が記録された記録媒体の読取装置を試験するための誤り訂正能力試験用記録媒体であって、
規格に基づいて元データが誤り訂正符号化されて誤り訂正符号化データが生成された後に、該誤り訂正符号化データの変調コードに誤りが加えられた状態で記録された、ことを特徴とする誤り訂正能力試験用記録媒体である。
【００２１】
この発明では、規格に基づいて元データが誤り訂正符号化されて誤り訂正符号化データが生成された後に、該誤り訂正符号化データの変調コードに誤りが加えられた状態で記録されている。
【００２２】
すなわち、目的とする誤りの分布パターンになるように、フォーマッタからの変調出力である誤り訂正符号化データを取り出し、誤り訂正符号化データの中の変調コードの位置と数を決めて、書き換えることにより誤りを加えている。
【００２３】
これにより、誤りの分布パターンを自由かつ高精度に実現でき、誤り量を高精度に実現でき、読取装置による影響を受けず極めて安定性の高い誤りを実現できる、誤り訂正能力試験用記録媒体を実現できる。
【００２４】
（７）請求項７記載の発明は、請求項６において、前記変調コードに誤りを加える場合において、一定間隔での挿入が記録フォーマットで定められているシンクコードに誤りを加えることを含む、ことを特徴とする。
【００２５】
このように、データの重要な目印の一つである変調信号中のシンクコードを、規格にないシンクコードを含め異なるものに置き換えることで、本来の位置とは対応しないシンクコードを検出したときの読取装置の対応処理性能を評価できるようになる。
【００２６】
（８）請求項８記載の発明は、請求項１乃至請求項７のいずれかにおいて、該誤り訂正能力試験用記録媒体を読取装置で読み取った際に、記録時に付加した誤り以外の各種の誤りも含めて全ての誤りがいずれも記録媒体の規格を満足するように、記録時に付加する誤りの数もしくは分布を制限する、ことを特徴とする。
【００２７】
このように、読取装置で読み取った際に、記録時に付加した誤り以外の各種の誤りも含めて全ての誤りがいずれも記録媒体の規格を満足するように、記録時に付加する誤りの数もしくは分布を制限しておくことで、記録媒体の規格の範囲内における誤り訂正能力を試験することが可能になる。
【００２８】
【発明の実施の形態】
以下に、図面を参照して本発明の実施の形態例を詳細に説明する。
図１は本実施の形態例の誤り訂正能力試験用記録媒体を作成するシステムの概略構成の第一の例を示す構成図である。なお、本実施の形態例では、誤り訂正符号語が記録された記録媒体の具体例として、ＤＶＤについて説明を行う。なお、ここでは、読み出し専用型の誤り訂正能力試験用記録媒体の例を示すが、これに限定されるものではない。
【００２９】
この図１において、１０はフォーマッタであり、各種ディジタルデータから構成された元データを受けて、記録媒体であるディスクの規格に基づいて元データに対して、誤り訂正符号化部にて誤り訂正符号化を施して誤り訂正符号化データを生成する。また、その誤り訂正符号化データを変調部にて変調し、後述するマスタリングのための変調データを生成する。なお、誤り訂正符号化部と変調部との間に、後述する誤りの付加のための切替部を有している。この切替部は、後述する制御部２０の制御に基づいて、正規のデータと制御部２０からのエラーデータとを切り替えるものである。
【００３０】
２０は制御部であり、誤り訂正符号化データの所定の位置に、読取装置を試験するためのエラーデータ（誤り）を含めるように制御を行う。なお、この制御は、誤り訂正符号化部と変調部との間の切替部に対して行う。
【００３１】
３０は切替部２２からのデータに基づいて成型用金型を作成する成型用金型作成装置であり、ＤＶＤを成形製造するためのマスターとなる成型用金型（スタンパ）４０を作成するものである。この成型用金型作成装置３０は、金型作成部３１と操作部３２とを備えて構成されている。
【００３２】
すなわち、成型用金型作成装置３０でスタンパ４０を作成する場合、制御部２０はフォーマッタ１０からのタイミング信号を監視しており、通常時には切替部は制御部２０からの制御信号に従って、誤り訂正符号化部からの誤り訂正符号化データを変調部に対してに伝えている。
【００３３】
また、制御部２０のタイミング信号の監視によって誤り訂正符号化データ中に誤りを作成するタイミングでは、切替部は制御部２０からのエラーデータを受けて変調部に出力する。なお、このエラーデータについては後述する。
【００３４】
そして、制御部２０はフォーマッタ１０からのタイミング信号を監視により、誤りの記録が終了した時点で、切替部を通常の状態に戻す。
このように制御部２０によってフォーマッタ１０中の切替部の切替状態を制御し、通常のデータとエラーデータとを切り替えることで、変調部からは誤りを含んだ状態の変調データが出力され、成型用金型作成装置３０ではデータとして誤りを含むＤＶＤを作成するためのスタンパ４０を作成する。
【００３５】
そして、以上のようにしてスタンパ４０が作成された後、ディスク成形装置５０は前述したスタンパ４０を用いてＤＶＤなどのディスク６０を成形により製造する。
【００３６】
なお、以上の図１のシステムでは、フォーマッタ１０から変調直前のＥＣＣブロックデータを取り出し、その任意の位置のデータを誤らせたものを変調記録する。あるいは、誤りを付加すべき元のディスクの誤り訂正済みデータを読み出し、これを適当な手段によりＰＩとＰＯとを付加したＥＣＣブロックデータに再度符号化加工し、その任意の位置のデータを誤らせたものを変調記録する。
【００３７】
また、図２は本実施の形態例の誤り訂正能力試験用記録媒体を作成するシステムの概略構成の第二の例を示す構成図である。なお、図１と同一物については同一番号を付してある。
【００３８】
この図２において、１０はフォーマッタであり、各種ディジタルデータから構成された元データを受けて、記録媒体であるディスクの規格に基づいて元データに対して誤り訂正符号化を施して誤り訂正符号化データを生成する。また、その誤り訂正符号化データを変調し、後述するマスタリングのための変調データを生成する。
【００３９】
２０は制御部であり、マスタリングの際に所定の位置に、読取装置を試験するためのエラーデータ（誤り）を含めるように制御を行う。２１は切替部であり、制御部２０の制御に基づいて、フォーマッタ１０からの正規のデータと制御部２０からのエラーデータとを切り替えるものである。
【００４０】
３０は切替部２２からのデータに基づいて成型用金型を作成する成型用金型作成装置であり、ＤＶＤを成形製造するためのマスターとなる成型用金型（スタンパ）４０を作成するものである。この成型用金型作成装置３０は、金型作成部３１と操作部３２とを備えて構成されている。
【００４１】
すなわち、成型用金型作成装置３０でスタンパ４０を作成する場合、制御部２０はフォーマッタ１０からのタイミング信号を監視しており、通常時には切替部２２は制御部２０からの制御信号に従って、フォーマッタ１０からの変調データを成型用金型作成装置３０に伝えている。
【００４２】
また、制御部２０のタイミング信号の監視によってスタンパに誤りを作成するタイミングでは、切替部２２は制御部２０からのエラーデータを受けて成型用金型作成装置３０に出力する。なお、このエラーデータについては後述する。
【００４３】
そして、制御部２０はフォーマッタ１０からのタイミング信号を監視により、誤りの記録が終了した時点で、切替部２２を通常の状態に戻す。これにより、フォーマッタ１０からのディジタルデータを成型用金型作成装置３０に伝える。
【００４４】
このように制御部２０によって切替部２２の切替状態を制御し、通常のデータとエラーデータとを切り替えることで、成型用金型作成装置３０ではデータとして誤りを含むＤＶＤを作成するためのスタンパ４０を作成する。
【００４５】
そして、以上のようにしてスタンパ４０が作成された後、ディスク成形装置５０は前述したスタンパ４０を用いてＤＶＤなどのディスク６０を成形により製造する。
【００４６】
なお、この図２のシステムでは、フォーマッタ１０から記録直前の変調データを取り出し、その任意の位置の変調コードを誤らせたものを成型用金型作成装置３０にて記録する。あるいは、ＥＣＣブロックデータを適当な手段で変調加工し、その任意の位置の変調コードを誤らせたものを成型用金型作成装置３０にて記録する。
【００４７】
以下、記録媒体としてＤＶＤの例で誤り訂正符号について詳細に説明する。ＤＶＤの場合、図３に示すデータ構造を持っており、誤り訂正符号は図示したように、１７２列（１７２Ｂ）×１９２行（１９２Ｒｏｗｓ）のデータブロック（元データ）に対して、ＰＯとＰＩを付加した１８２列×２０８行のリードソロモン積符号としてＥＣＣブロックが生成される。
【００４８】
本実施の形態例では元データになるデータブロックに対して、ＤＶＤ規格に基づいてＰＯとＰＩを付加したＥＣＣブロックを生成した後、目的とする誤りの分布パターンになるようにＥＣＣブロックの中のデータの位置と数を決めて、元になるデータを元の値と異なるように書き換えることにより誤りを加える。
【００４９】
本実施の形態例の理解の一助とするためＤＶＤにおける実施例の説明に先立ち、まずＤＶＤの誤り訂正符号化記録ならびに、再生時の誤り訂正の仕組みについて簡単に説明する。
【００５０】
▲１▼誤り訂正符号化記録：
圧縮符号化された映像・音声データなどの記録用データは、１セクタあたり２０４８バイトである。これに物理セクタ番号などのセクタＩＤ（ＩＥＤ込み６バイト）を含む１２バイトが先頭に付加され、その２０６０バイトに対するＥＤＣ４バイトを末尾に付加された２０６４バイトが１セクタの元データになる。これを１７２列×１２行とし、それを１６セクタ分集めた１７２列×１９２行を１ブロックとする。その１７２列の各列末尾に１６バイトのＰＯを付加して各列を誤り訂正符号語とし、その結果２０８行に増えた各行の末尾に１０バイトのＰＩを付加して各行も誤り訂正符号語とする。なお、ＰＯとＰＩは次の様に上記とは逆の手順で付加しても結果は同じである。１９２行の各行末尾に１０バイトのＰＩを付加して各行を誤り訂正符号語とし、その結果１８２列に増えた各列の末尾に１６バイトのＰＯを付加して各列も誤り訂正符号語とする。
【００５１】
こうして得られる１８２列×２０８行の３７８５６バイトは、２０８の各行と１８２の各列が全て誤り訂正符号語を構成するリードソロモン積符号の１ＥＣＣブロックとして、８−１６変調されてディスクに記録される。この際に末尾のＰＯ１６行を１６個の各セクタ末尾に１行ずつ移動してインタリーブ記録を行い、１ＥＣＣブロック内の１セクタがちょうど１３行になるようにしている。
【００５２】
また、各セクタを２６個のフレームに分割する形で、各行の先頭と中間にデータ９１バイト毎に何種類かのシンクパターンを挿入記録し、データ読み取り時にセクタ内のフレーム位置が特定できるようにしている。
【００５３】
上記一連の、ＥＣＣブロック生成からディスク原盤への変調記録までは、（変調）フォーマッタなどと称される装置（図１のフォーマッタ１０）内部において、通常は一括した連続処理がなされる。
【００５４】
▲２▼読取装置における再生時の誤り訂正：
読取装置の光ピックアップによって記録媒体から読み取られた変調記録信号は、各行の先頭と中間に９１バイト毎に挿入記録された２バイト長のシンクパターンを確認しながら、１６セクタ分の復調データ３７８５６バイトが、誤り訂正用の１ＥＣＣブロック行列メモリの正しい位置に格納される。
【００５５】
読取装置の誤り訂正回路は１ＥＣＣブロックのデータを検査し、いずれかの行またはいずれかの列に誤りを検出すると、全ての行および全ての列に誤りが検出されなくなるまで訂正を試みる。
【００５６】
１ＥＣＣブロックに対する誤り訂正能力は、訂正すべき誤りの位置が不明の場合に各行最大５バイト各列最大８バイト、訂正する位置を指定する場合には各行最大１０バイト各列最大１６バイト、という基本訂正能力をもとに構成されるそれぞれ得失を持った種々の訂正方法によって多少異なるものとなる。
【００５７】
たとえばそれぞれ１１バイトの誤りを含む行が１３行あり、これら以外の行にはそれぞれ５バイト以下の誤りしかない場合について説明する。
▲２▼−ａ：まず各行の訂正から開始する訂正方法によると、これらの１３行は訂正不能な行として訂正放棄しその行の位置を記憶する。次に各列の誤りを検査し、誤りの検出された列を前期の記憶位置を指定して１３バイトずつ訂正することで訂正が完了する。このように１回目の各行の訂正で訂正不能放棄が発生し２回目の各列の訂正で訂正が完了、すなわち繰り返し訂正回数２回で訂正完となる。
【００５８】
▲２▼−ｂ：上記とは異なる訂正方法、すなわち、各列の訂正から開始する訂正方法によると次のようになる。
１３の行に含まれるそれぞれ１１バイトの誤りが、これ以外の他の行に含まれる誤りを含めても１つの列については８バイト以下であるように誤りが分布しているときは、誤りを含む全ての列の訂正が出来るので、繰り返し訂正回数１回で訂正完となる。
【００５９】
しかし１３の行に含まれるそれぞれ１１バイトの誤りが、同じ１１の列位置に分布しているときは、これら１１列は訂正不能な列として１回目の訂正放棄がなされる。この場合その列の位置を記憶し、２回目の各行の訂正において誤りの検出された行を前期の記憶位置を指定して１１バイトずつ訂正することは、訂正能力を超えるため結局１３行が訂正不能な行として２回目も訂正放棄される。これ以降は各行の訂正から開始する訂正方法と同じ経過になるので、結局繰り返し訂正回数３回で訂正完となる。
【００６０】
上記したＤＶＤの誤り訂正符号化記録の仕組みからわかるように、本実施の形態例は、次のいずれかまたは両方の方法により任意の位置のデータを誤らせて記録するようにすることが可能である。
【００６１】
（ａ）フォーマッタから変調直前のＥＣＣブロックデータを取り出し、その任意の位置のデータを誤らせたものを変調記録する。あるいは、誤りを付加すべき元のディスクの誤り訂正済みデータを読み出し、これを適当な手段によりＰＩとＰＯとを付加したＥＣＣブロックデータに再度符号化加工し、その任意の位置のデータを誤らせたものを変調記録する。この場合、図１に示したシステムを用いることができる。
【００６２】
（ｂ）フォーマッタから記録直前の変調データを取り出し、その任意の位置の変調コードを誤らせたものを記録する。あるいは、ＥＣＣブロックデータを適当な手段で変調加工し、その任意の位置の変調コードを誤らせたものを記録する。この場合、図２に示したシステムを用いることができる。
【００６３】
上記（ａ）は変調テーブルに存在しないような変調データ誤りや、シンクパターンの誤りを発生させることが出来ない。一方、上記（ｂ）は任意の位置の変調コードのすげ替えるもので、前後の変調データとの接続部分に変調規則違反を生じたり、復調時の誤り伝播によりすげ替えたデータよりも長い誤りになる場合があるので必ずしも適当な方法ではないが、規格にない変調コードに誤らせたり、シンクパターンを誤らせることが出来る。
【００６４】
以上説明した本実施の形態例の誤り訂正能力試験用記録媒体では、以下の▲１▼〜▲６▼のような効果が得られる。
▲１▼物理的な加工ではない、誤り量が安定し、誤り訂正能力試験用記録媒体としての安定性を有する。
【００６５】
▲２▼誤り率が３％になる誤り量を加えるといった例のような、正確なある一定量の誤り量を加えることが可能になる。
▲３▼誤りの分布を、ディスク面上に均一に分布させたり、同心上に分布させたり、などの例のように、誤りの分布パターンに自由度を持たせることが可能であり、その制御が容易である。
【００６６】
▲４▼従来手法による傷や黒点の部分はトラック情報（ピット）が完全に欠落するため、トラキングやフォーカシング情報が失われ、サーボ動作が不安定になっていたが、本実施の形態例では傷や黒点は存在しないため、誤り訂正能力とトラッキング能力とを区別することが可能である。
【００６７】
▲５▼従来手法における、ディスクから読み取った変調信号（ピット）の誤りが読み取り装置による復調性能の差により異なった復調データ誤りとなることを、避けることができる。
【００６８】
▲６▼上記▲１▼の安定性を高めるには従来手法では特殊な加工機による高い加工精度が必要であったが、本実施の形態例では、電気的に行うため、廉価に構成することが可能になる。
【００６９】
【実施例】
以下に、本発明の実施の形態例の具体例として、種々の実施例を示す。
（１）ディスク上の任意の位置に任意の物理形状で分布する誤りを形成する実施例：
まず、誤りを分布させる物理形状の半径方向開始端の半径位置に記録されるデータの物理セクタ番号を決定する。すなわち、ＤＶＤの規格記録密度に基づいてその半径位置のトラック１周に記録される数十個の物理セクタ番号を計算により求め、その中の１つを誤り開始セクタとし、誤り開始セクタ中の誤り開始データ位置と誤り終了セクタ中の誤り終了データ位置を規格記録密度に基づいて決める。次に、隣接トラック上でこれらと隣接するように誤り開始データ位置と終了データ位置を決める。これを繰り返して任意の物理形状の誤りとするために誤りを加えるべき物理セクタ番号とセクタ内データ位置を決定する。そして、変調前のＥＣＣブロックデータ中の誤らせるべき位置のデータを異なるものに置き換えることによりデータを誤らせる。
【００７０】
（２）任意のランダム誤り率の誤りを形成する実施例：
トラック上の誤り開始データ位置と終了データ位置までの間のデータに、任意のランダム誤り率に対応した平均個数の誤りを正規分布させて加える。
【００７１】
（３）任意の長さのバースト誤りを形成する実施例：
・（３−１）誤り開始データ位置から終了データ位置までを誤り訂正可能な最大の長さ以下とし、その間のデータを全て誤らせたバースト誤りを形成する。
・（３−２）ＤＶＤディスク表面に付着した埃または汚れや傷による実際的な模擬誤りとして、かなり短い数バイト長のバースト誤りとランダム誤りとを混在させて形成する。
【００７２】
図４はＤＶＤディスク表面に付着した埃による実際の１ＥＣＣブロックの誤りデータ分布で、バイト誤り率が、１×１０−２程度のものである。短いバースト誤りとランダム誤りとが混在しているものであるが、本実施の形態例によりこの分布通りの誤りを形成し、新品の　ディスクにおいて同じ再生誤りデータを再現させる。なお、各マス目が黒く塗りつぶされた位置は誤りの位置である。
【００７３】
なお、ここでは、出願書類における図の大きさおよび解像度の関係により、１ＥＣＣブロック（１８２列×２０８行）のうちの、１００列×１５０行の領域を抜き出して示している。
【００７４】
（４）訂正不能な誤りを形成する実施例：
通常の読取装置（ＤＶＤ再生機器）で試行する繰り返し訂正３回以内で訂正不能終了となる、訂正可能な最長バースト誤りである１６行全ての誤りに加えて６バイト以上の誤りを含む行を１行以上含むものや、１７以上の行に含まれるそれぞれ６バイトの誤りが同じ列位置に分布するもの、等々を形成する。
【００７５】
図５は１７の行に含まれるそれぞれ６バイトの誤りが同じ列位置に分布するように形成する例で、ｘがデータを誤らせる位置である。なお、ここでは、上述しているＥＣＣブロックの一部を抜き出して記載している。
【００７６】
（５）繰り返し訂正回数４回以上で訂正完となる誤りを形成する実施例：
通常の読取装置（ＤＶＤ再生機器）で試行する繰り返し訂正３回では訂正不能終了となるが、更に繰り返し訂正試行を続けることで訂正完となる誤りを形成する。
【００７７】
図６〜図１２は１回目に各行の訂正試行からスタートした場合、訂正回数６回で訂正完となる誤りの例で、その訂正過程を共に示している。なお、これらの図６〜図１２では、出願書類における図の大きさおよび解像度の関係により、１ＥＣＣブロック（１８２列×２０８行）のうちの、１００列×１５０行の領域を抜き出して示している。
【００７８】
すなわち、図６はバイト誤り率が３．７×１０−２であり、４回以上の繰り返し訂正が必要な例を示している。
なお、各マス目が黒く塗りつぶされた位置は誤りの位置であり、白丸は誤りの訂正された位置を示している。
【００７９】
ここで、図７は１回目の訂正（行方向訂正）の結果を示し、図８は２回目の訂正（列方向訂正）の結果を示し、図９は３回目の訂正（行方向訂正）の結果を示し、図１０は４回目の訂正（列方向訂正）の結果を示し、図１１は５回目の訂正（行方向訂正）の結果を示し、図１２は６回目の訂正（列方向訂正）の結果を示している。なお、図１２に示すように、６回目の訂正により、誤りが全て訂正されている。
【００８０】
（６）訂正誤りを生ずる誤りを形成する実施例：
例えばＥＣＣ行列中の６バイト誤りを含む１行を訂正する場合、通常は１行５バイトまでという訂正能力を超えているので訂正不能になるが、その１行１８２バイトのデータ値によっては、誤っている６バイト以外の５バイトを訂正して１８２バイトの他の符号語としてしまい、結果的に元の１８２バイトの符号語を１１バイトも誤らせてしまう訂正誤りを生ずる場合がある。繰り返し訂正の（初期の）行訂正で稀に発生するこのような訂正誤りは、繰り返し訂正で続く次の列の訂正において誤りが検出され正しく訂正し直されるが、繰り返し訂正回数が増えることにより訂正不能になることもある。このような訂正誤り発生時の読取装置（ＤＶＤ再生機器）の対応処理性能も評価できるように、誤らせるために置き換えるデータの値を制御して、繰り返し訂正過程の途中で訂正誤りを生ずる誤りを形成する。
【００８１】
図１３は２３個の誤り（ｘ）を含む１行１８２バイトのデータで、その５個訂正（ＸおよびＯ）の結果、誤りは１個減る（Ｏ印）が訂正誤り（Ｘ印）により４個増加して２６個になる例である。
【００８２】
この２３個の誤りを含む行は次の様にして形成する。図１４のｘとＸの２６個の位置のうち任意の１６個を誤らせたものを、残り１０個の位置を消失位置として消失訂正を行なって図１４の符号語を得る。次に、Ｘの位置の４個の誤りデータを元に戻し、Ｏの位置のデータを誤らせて、図１３の２３個の誤りを含む行とする。
【００８３】
（７）ＥＣＣブロック内の特定位置をマスクして誤りを形成する実施例：
読取装置（ＤＶＤ再生機器）は、ディスクに記録された変調信号を読み取り、これを復調したデータを１ＥＣＣブロック単位の誤り訂正用メモリの正しい行列位置に格納する。この際の重要な目印として、変調信号中にデータ半行分の１フレーム９１バイト間隔の一定周期で挿入されデータ位置識別も可能なフレーム同期コード（シンクコード）と、１／１６ＥＣＣブロックである各セクタの先頭に、連番を付されてなる物理セクタ番号を含むセクタＩＤという復調データとの、２つがある。これらのいずれかまたは両方に誤りを含む場合の装置の対応処理性能を評価するための一つとして、誤りを付加するときにＥＣＣブロック内のセクタＩＤ部分（ＩＤ４バイトもしくはＩＥＤまでの６バイト）をマスクして誤りを加えないようにしたものと、マスクなしで同程度の誤りを加えたものとの２種類を形成する。特にＤＶＤ測定器においては、物理セクタ番号を含むセクタＩＤに誤りがある場合、訂正を行なわなかったり訂正しても訂正前の誤った物理セクタ番号しか出力せず、誤りを含む物理セクタ番号などの正しい位置情報が得られないことがある。
【００８４】
（８）シンクコードの誤りを形成する実施例：
上記重要な目印の一つである変調信号中のシンクコードを、規格にないシンクコードを含め異なるものに置き換え、本来の位置とは対応しないシンクコードを検出したときの装置の対応処理性能を評価できるようにする。
【００８５】
（９）規格にない変調コードへの誤りを形成する実施例：
変調後のＥＣＣブロック変調コード中の誤らせるべき位置の変調コードを変調規格に存在しない変調コードに置き換える。ただし、誤りの前後の変調コードとの接続部分も含め、ディスク上の最短ピット長や最短ピット長の変調規格を遵守するようにする。ピット長に関する変調規則違反の誤りを含めないことで、ディスク読み取り装置内の変調データ読み取り部の性能の影響を受けないようにし、存在しない変調コードを検出したときの装置の対応処理性能だけを評価できるようにする。
【００８６】
（１０）半径方向同一角度位置に誤りを連続形成する実施例：
ディスクの射出成型時に発生する誤りとして、１つのトラック上に長いピットが連続して繰り返し出現しているようなところでは、その部分の成型が外周にある同一位置の数トラックまで影響を及ぼし、同一角度位置の数トラックにわたって正しいピット成型が妨害されることがある。このような誤りも、前記『ディスク上の任意の位置に任意の物理形状で分布する誤りを形成する実施例』で形成することが出来る。
【００８７】
（１１）誤り率規格遵守の実施例：
以上説明した実施例においては、いずれも『連続する８ＥＣＣブロック（１６６４行）で誤りを含む行は２８０行以下』というＤＶＤ規格を遵守して誤りを形成するようにすることが好ましい。
【００８８】
すなわち、誤り訂正能力試験用記録媒体を読取装置で読み取った際に、記録時に付加した誤り以外の各種の誤りも含めて全ての誤りがいずれも記録媒体の規格を満足するように、記録時に付加する誤りの数もしくは分布を制限する、ことが更に好ましい。
【００８９】
このように、読取装置で読み取った際に、記録時に付加した誤り以外の各種の誤りも含めて全ての誤りがいずれも記録媒体の規格を満足するように、記録時に付加する誤りの数もしくは分布を制限しておくことで、記録媒体の規格の範囲内における誤り訂正能力を試験することが可能になる。
【００９０】
（１２）その他の実施例：
なお、本実施の形態例を適用出来るＤＶＤディスクなどの記録媒体は、読み出し専用型、書き換え型、追記型を問わないものである。すなわち、図１で示したシステム例では読み出し専用型の例であったが、同様に書き換え型、追記型の装置において、ＥＣＣブロックを取りだして変更できるように構成しておいて、本発明の実施の形態例および実施例を適用すればよい。
【００９１】
【発明の効果】
以上、実施の形態例および実施例により説明した本発明によれば、誤りの分布パターンを自由かつ高精度に実現でき、誤り量を高精度に実現でき、読取装置による影響を受けず極めて安定性の高い誤りを実現できる、誤り訂正能力試験用記録媒体を実現できる。
【００９２】
また、本発明を適用して作られたディスクは、誤り訂正能力の確認や誤り訂正ストラテジーのチェック機能という特徴を有するものであり、したがってその使用は読取装置（再生機器）の高性能高効率誤り訂正ストラテジー設計にも極めて有用である。
【００９３】
そして、本発明によれば、傷や汚れがなく、したがって変調信号の欠落や誤りのない新品ディスクでデータ誤りを実現し、ディスク読み取り装置の変調信号（ピット）読み取り能力や復調能力に依存せずに、新品ディスクからは記録時に加えたデータ誤りが正確に検出されるようになる。
【００９４】
また、本発明の誤り訂正能力試験用記録媒体における誤りの量や分布パターンを高精度に実現できる特徴を生かし、読取装置の誤りを測定する機器の測定能力確認や初期較正に供することが出来、標準エラーディスクとして使用することが可能になる。
【００９５】
また、本発明の誤り訂正能力試験用記録媒体における誤りの量や分布パターンを高精度に実現できる特徴を生かし、プレーヤやドライブなどの読取装置（再生機器）の初期訂正能力と経時変化による訂正能力劣化確認ならびに、光ピックアップのレンズクリーニング等による訂正能力回復が確認出来る、標準エラーディスクとして使用することが可能になる。
【００９６】
また、本発明の誤り訂正能力試験用記録媒体の誤りの量や分布パターンを高精度に実現できる特徴を生かし、以下に記すように従来は不可能であった特定部位の誤りや、さらには特定の誤り値を実現することにより、プレーヤやドライブなどの読取装置の誤り訂正能力の正確な評価ならびに、より効率的で誤り訂正能力の高い高性能読取装置（再生機器）設計のための、標準エラーディスクとして使用することが可能になる。
【図面の簡単な説明】
【図１】本発明の実施の形態例である誤り訂正能力試験用記録媒体を作成するシステムの構成を示すブロック図である。
【図２】本発明の実施の形態例である誤り訂正能力試験用記録媒体を作成するシステムの構成を示すブロック図である。
【図３】本発明の実施の形態例の誤り訂正能力試験用記録媒体のＥＣＣブロックの一例を示す説明図である。
【図４】本発明の実施の形態例の誤り訂正能力試験用記録媒体の１ＥＣＣブロックの実際の誤り例を示す説明図である。
【図５】本発明の実施の形態例の誤り訂正能力試験用記録媒体の訂正不能な誤り例を示す説明図である。
【図６】本発明の実施の形態例の誤り訂正能力試験用記録媒体の４回以上の繰り返し訂正が必要な誤り例（バイト誤り率３．７Ｅ−２）を示す説明図である。
【図７】本発明の実施の形態例の誤り訂正能力試験用記録媒体の各行の訂正試行からスタートした場合の１回目訂正結果を示す説明図である。
【図８】本発明の実施の形態例の誤り訂正能力試験用記録媒体の各行の訂正試行からスタートした場合の２回目訂正結果を示す説明図である。
【図９】本発明の実施の形態例の誤り訂正能力試験用記録媒体の各行の訂正試行からスタートした場合の３回目訂正結果を示す説明図である。
【図１０】本発明の実施の形態例の誤り訂正能力試験用記録媒体の各行の訂正試行からスタートした場合の４回目訂正結果を示す説明図である。
【図１１】本発明の実施の形態例の誤り訂正能力試験用記録媒体の各行の訂正試行からスタートした場合の５回目訂正結果を示す説明図である。
【図１２】本発明の実施の形態例の誤り訂正能力試験用記録媒体の各行の訂正試行からスタートした場合の６回目訂正結果を示す説明図である。
【図１３】本発明の実施の形態例の誤り訂正能力試験用記録媒体の訂正誤りを生ずる誤り例を示す説明図である。
【図１４】本発明の実施の形態例の誤り訂正能力試験用記録媒体の訂正誤りを生ずる誤り例を示す説明図である。
【符号の説明】
１０　フォーマッタ
２０　制御部
２２　切替部
３０　成型用金型作成装置
４０　スタンパ
５０　ディスク成形装置
６０　ディスク
【図１】
2004079135.tif 000003
【図２】
2004079135.tif 000004
【図３】
2004079135.tif 000005
【図４】
2004079135.tif 000006
【図５】
2004079135.tif 000007
【図６】
2004079135.tif 000008
【図７】
2004079135.tif 000009
【図８】
2004079135.tif 000010
【図９】
2004079135.tif 000011
【図１０】
2004079135.tif 000012
【図１１】
2004079135.tif 000013
【図１２】
2004079135.tif 000014
【図１３】
2004079135.tif 000015
【図１４】
2004079135.tif 000016